(57)【要約】      （修正有）【課題】歩くだけで、体全体の筋力のバランスを整え体力アップにつながる履物及び履物用中敷きを提供する。【解決手段】土踏まずから足指に至る中間部に形成する段部2と、踵側の一部に形成する段部3と、を有する履物および履物用の中敷き1において、土踏まずと足指の中間部に形成する段部2は、小指側が位置する外側の段部と親指側が位置する内側の段部を均衡に形成、又は不均衡に形成し、踵側の段部は小指側が位置する外側の段部と親指側が位置する内側の段部を均衡に形成する。【選択図】図１
2012152536.tif 000002
【特許請求の範囲】
【請求項１】
土踏まずから足指に至る中間部に形成する段部と、
踵側の一部に形成する段部と、
を有する履物および履物用の中敷きにおいて、前記土踏まずと足指の中間部の前記段部は、小指側が位置する外側の段部と親指側が位置する内側の段部を均衡に形成し、又は不均衡に形成し、前記踵側の段部は小指側が位置する外側の段部と親指側が位置する内側の段部を均衡に形成することを特徴とする履物及び履物用中敷き。
【請求項２】
前記土踏まずから足指に至る中間部に形成する前記段部は、小指側が位置する外側の段部を高く形成し、親指側が位置する内側の段部を低く形成することを特徴とする請求項１に記載の履物及び履物用中敷き。
【請求項３】
前記土踏まずから足指に至る中間部に形成する前記段部は、小指側が位置する外側の段部を低く形成し、親指側が位置する内側の段部を高く形成することを特徴とする請求項１乃至請求項２に記載の履物及び履物用中敷き。
【請求項４】
前記履物及び履物用中敷きに形成する前記段部は、弾力部材で形成、または気体、液体を封入する空気室で形成することを特徴とする請求項１乃至請求項３に記載の履物及び履物用中敷き。
【請求項５】
土踏まずに当たる部分に孔を形成することを特徴とする請求項１乃至請求項４に記載の履物及び履物用中敷き。
【請求項６】
前記土踏まずから足指に至る中間部に形成する前記段部の形状は、山型であることを特徴とする請求項１乃至請求項５に記載の履物及び履物用中敷き。
【請求項７】
前記履物及び履物用中敷きの踵部の上部付近から足指側にかけ、縦の中心軸付近から軸方向に沿ってねじれを形成することを特徴とする履物及び履物用中敷き。
【発明の詳細な説明】
【技術分野】
【０００１】  本発明は、スポーツシューズ、ウォーキングシューズ、通勤靴、サンダル、スリッパなど履物に使用する中敷きおよび履物全般に関するものである。
【背景技術】
【０００２】  高齢者の健康保持・増進に必要な「歩く」という動作を手助けするウォーキングシューズがあった。（例えば特許文献１、特許文献２）。
【先行技術文献】
【特許文献】
【０００３】
【特許文献１】  実願平８−９７９５号広報
【特許文献２】  特願２００１−２３２８６８号広報
【発明の概要】
【発明が解決しようとする課題】
【０００４】  特許文献１に記載の高齢者用ウォーキングシューズは、歩くという動作を手助けする疲れないシューズである。また、特許文献２に記載の中底および中敷または靴下は、転んで捻挫しない、疲れない、蒸れないというものである。【０００５】  本発明は、スポーツシューズ、ウォーキングシューズ、通勤靴、サンダル、スリッパなどを履いて歩行する時、又は走行する時において、体重が軽くなったように足が高く上がり且つ筋肉を捻じりながら歩くことで広く筋肉を鍛え、体力アップを図ることができる履物及び履物用中敷きを提供する。
【課題を解決するための手段】
【０００５】  請求項１に記載の本発明の履物及び履物用中敷きは、土踏まずから足指に至る中間部に形成する段部と、踵側の一部に形成する段部と、を有する履物および履物用の中敷きにおいて、土踏まずと足指の中間部に形成する段部は、小指側が位置する外側の段部と親指側が位置する内側の段部を均衡に形成、又は不均衡に形成し、踵側の段部は小指側が位置する外側の段部と親指側が位置する内側の段部を均衡に形成することを特徴とする。【０００６】  請求項２に記載の本発明の履物及び履物用中敷きは、土踏まずから足指に至る中間部に形成する段部は、小指側が位置する外側を高く形成し、親指側が位置する内側を低く形成することを特徴とする。【０００７】  請求項３に記載の本発明の履物及び履物用中敷きは、土踏まずから足指に至る中間部に形成する段部は、小指側が位置する外側を低く形成し、親指側が位置する内側を高く形成することを特徴とする。【０００８】  請求項４に記載の本発明の履物及び履物用中敷きは、履物及び履物用中敷きに形成する段部は、弾力部材で形成、または気体、液体を封入する空気室で形成することを特徴とする。【０００９】  請求項５に記載の本発明の履物及び履物用中敷きは、土踏まずに当たる部分に孔を形成することを特徴とする。【００１０】  請求項６に記載の本発明の履物及び履物用中敷きは、土踏まずから足指に全る中間部に形成する段部は山型であることを特徴とする。【００１１】  請求項７に記載の本発明の履物及び履物用中敷きは、踵部の上部付近から足指側にかけ、縦の中心軸付近から軸方向に沿ってねじれを形成することを特徴とする。
【発明の効果】
【００１２】  請求項１に記載の本発明の履物及び履物用中敷きは、人間が歩行、走行する際に足の裏にかかる全体重を半減させるという考えから発明されたものである。人間が歩行する場合、足裏の中で、一番最初に体重の負荷がかかる部分が踵部、そして土踏まずの外側沿いに重心が親指方向へ移動し、最後に親指で全体重を蹴り上げて次の足が前へ出るというのが通常の重心移動である。この重心移動を利用して、土踏まずから指足に至る中間部分と、踵側の一部に段部を形成することで、てこを使った時のように重い体を軽く押し上げることができ、膝などに負担がかからず、ふくらはぎ、太もも、臀部、腹筋を使って軽々と歩くことができるという優れた効果を発揮する。【００１３】  請求項２に記載の本発明の履物及び履物用中敷きは、小指側が位置する外側を高く形成し、親指側が位置する内側を低く形成することで、地面に足を安定的に着地させるためには、足首を通常より内側にローリングさせなければならなくなり、必然的に足首の可動域が広がる。足首のローリングの可動域が広がることで、足首の内側、ふくらはぎの内側、太ももの内側、臀部、腹部などの内筋がねじられ、歩くだけで、筋肉の捻じれ運動を起こし、筋肉を柔らかくすることができる。筋肉が柔らかくなることで、怪我の予防にもつながり体力アップが図られるという優れた効果を発揮する。【００１４】  また、小指側が位置する外側を高く形成し、親指側が位置する内側を低く形成することで、歩行時、走行時にあまり重心がかからない足の中指、薬指、小指側の足の裏にも負荷をかけることができ、通常あまり負荷のかからない部分を刺激することで、普段使われない内部の筋肉や神経を活性化させることができるという優れた効果を発揮する。【００１５】  また、小指側が位置する外側を高く形成し、親指側が位置する内側を低く形成することで、走行時にコーナーを回る時など外側に逃げる力を外側の段部で吸収することができ、外に逃げるロスを少なくすることができる。運動会でトラックのコーナーを回る時や、野球でダイヤモンドを回る時、バッティング、ゴルフなどのスイングにおいても、力強く地面を蹴る、ボールに力を伝えるということが、容易にできるようになる。【００１６】  請求項３に記載の本発明の履物及び履物用中敷きは、小指側が位置する外側を低く形成し、親指側が位置する内側を高く形成することで、請求項２とは逆に、地面に足を安定的に着地させるためには、足首を通常より外側にローリングさせなければならなくなり、必然的に足首の可動域が広がる。足首のローリングの可動域が広がることで、足首の外側、ふくらはぎの外側、太ももの外側、臀部、腹部などの内筋が捻じられ、歩くだけで、筋肉の捻じれ運動を起こし筋力の老化を防止することができるという優れた効果を発揮する。【００１７】  請求項４に記載の本発明の履物及び履物用中敷きは、段部を形成する素材を弾力部材または、空気及び液体を封入した空気室で形成することで、着地時の振動、衝撃を和らげ、且つ足の着地時に受ける荷重を利用して反発力をつくり、次の一歩を軽く踏み出すことができるという優れた効果を発揮する。【００１８】  請求項５に記載の本発明の履物及び履物用中敷きは、土踏まずに当た���部分に孔を形成することで、段部の弾力性がさらに高まり、歩行時、走行時に足首、膝、腰などにかかる負担を軽減することができ、一歩一歩を軽く歩くことができるという優れた効果を発揮する。【００１９】  請求項６に記載の本発明の履物及び履物用中敷きは、土踏まずから足指に至る部分に山型の段部を形成することにより、５本全部の足の指先で山型になっている段部を掴んでは離すという、指先の屈伸運動をすることができる。指先を運動させることで血流が促進され、さらに指先から繋がる内筋の運動も促進させることができ、健康、体力の維持に優れた効果を発揮する。【００２０】  請求項７に記載の本発明の履物及び履物用中敷きは、踵部の上部付近から足指側にかけ、縦の中心軸付近から軸方向に沿ってねじれを形成することで、段部を形成したことと同様に一方の側が高くなり、他方の側が低くなるという構造になり、これにより、足首の可動域の拡大、ふくらはぎ、太もも、臀部、腹部などの筋肉への運動を促進することができるという優れた効果を発揮する。
【図面の簡単な説明】
【００２１】
【図１】  本発明の履物及び履物用中敷きの斜視図である。
【図２】  本発明の履物及び履物用中敷きの平面図である。
【図３】  本発明の履物及び履物用中敷きのＡ−Ａ線断面図である。
【図４】  本発明の履物及び履物用中敷きのＢ−Ｂ線断面図である。
【図５】  本発明の履物及び履物用中敷きのＣ−Ｃ線断面図である。
【図６】  本発明の履物及び履物用中敷きの左側面図である。
【図７】  本発明の履物及び履物用中敷きの右側面図である。
【図８】  本発明の履物及び履物用中敷きの背面図である。
【図９】  本発明の履物及び履物用中敷きの第２の実施例である。
【図１０】  本発明の履物及び履物用中敷きの第３の実施例である。
【図１１】  本発明の履物及び履物用中敷きの斜視図である。
【図１２】  本発明の履物及び履物用中敷きの第４の実施例である。
【図１３】  本発明の履物及び履物用中敷きの第４の実施例の正面図である。
【図１４】  本発明の履物及び履物用中敷きの第５の実施例である。
【図１５】  本発明の履物及び履物用中敷きの第６の実施例である。
【図１６】  本発明の履物及び履物用中敷きの第７の実施例である。
【図１７】  人間の歩行時に足裏にかかる重心移動の流れである。
【発明を実施するための最良の形態】
【００２２】  以下、本発明を図面に示す実施形態図１〜１７に基づき説明をする。ただし、以下の実施するための形態は、本発明を履物及び履物用中敷きの一例として説明するものであり、この説明の図の項に限定されるものではない。【００２３】  図１は、本発明の履物及び履物用中敷きの１対の斜視図である。中敷き１、中敷きの土踏まずから足指に至る中間部に形成する段部２、踵側の一部に形成する段部３、中敷きのつま先側に形成する平坦部４、踵側に形成する平坦部５、小指側に位置する外側の段部ａ、親指側に位置する内側の段部ｂから構成される。段部２は、小指側に位置する外側の段部ａが高くなり、親指側に位置する内側の段部ｂが低くなる。また、段部ａと段部ｂは、同じ高さに形成してもよい。【００２４】  図２は、本発明の履物及び履物用中敷きの平面図である。中敷きの土踏まずから足指に至る中間部に形成する段部２、踵側の一部に形成する段部３、中敷きのつま先側に形成する平坦部４、踵側に形成する平坦部５から構成される。Ａ−Ａ線は、中敷きの土踏まずから足指に至る中間部に形成する段部２の一番高い部分の切断個所、Ｂ−Ｂ線は、踵側の一部に形成する段部３の一番高い部分の切断個所、Ｃ−Ｃ線は、中敷きの軸方向中心部分の切断個所である。【００２５】  図３は、本発明の履物及び履物用中敷きの土踏まずから足指に至る中間部に形成する段部２のＡ−Ａ線の断面図である。段部２、空気室２´、小指側が位置する外側の段部ａ、親指側が位置する内側の段部ｂから構成される。空気室２´は、気体、液体を封入するものであり、外側の段部ａ側に体重が乗り圧力がかかった時に、内側の段部ｂ側に気体、液体が押されて逃げ、空気室全体が平らになるような形状にすることが肝要である。気体、液体を封入しない場合は、全体を弾力素材で形成する。【００２６】  図４は、本発明の履物及び履物用中敷きの踵側の一部に形成する段部３のＢ−Ｂ線の断面図である。段部３、空気室´から構成される。踵部の一部に形成する段部３の高さは、外側、内側ともに同じ高さに形成する。空気室３´は、気体、液体を封入しない場合は、全体を弾力素材で形成する。【００２７】  図５は、本発明の履物及び履物用中敷きのＣ−Ｃ線断面図である。段部２、空気室２´、段部３、空気室３´、小指側が位置する外側の段部ａである。空気室２´は、小指側が位置する外側の段部ａ側に体重が乗り圧力がかかった時に、内側の段部ｂ側に気体、液体が押されて逃げ込み、段部２が平らになるようなラグビーボール状、ひし形状などの形状が理想的である。【００２８】  図６は、本発明の履物及び履物用中敷きの左側面図である。土踏まずから足指に至る中間部に形成する段部２、踵側の一部に形成する段部３、小指側に位置する外側の段部ａ、親指側に位置する内側の段部ｂから構成される。段部２、段部３は湾曲を描くように山型に形成することで、足裏との接触面積を小さくすることができる。足裏との接触面積が小さいことで、足にかかる反発力を向上させることができ、足が高く上がり、歩行、走行がスムーズに行われる。【００２９】  図７は、本発明の履物及び履物用中敷きの右側面図である。土踏まずから足指に至る中間部に形成する段部２、踵側の一部に形成する段部３から構成される。小指側に位置する外側の段部ａ、親指側に位置する内側の段部ｂから構成される。段部２、段部３は、空気室を形成せずに弾力素材だけで形成してもよい。【００３０】  図８は、本発明の履物及び履物用中敷きの背面図である。土踏まずから足指に至る中間部に形成する段部２、踵側の一部に形成する段部３、小指側に位置する外側の段部ａ、親指側に位置する内側の段部ｂから構成される。踵側の一部に形成する段部３は、外側、内側ともに同じ高さに形成することが望ましい。これは、歩行時に最初に土に着地する部位が踵であり、踵の部分が安定した状態で着地することで足首のぐらつきを防止し、安定した状態で歩くことができる。また、小指側が位置する外側の段部ａが高く、親指側が位置する段部ｂが低いことで、歩行時に足首がローリングされ各部位の可動域が広がり、足首、ふくらはぎ、太もも、股関節、臀部、腹部等の内筋にまで負荷をかけることができる。【００３１】  図９は、本発明の履物及び履物用中敷きの中敷きの第２の実施例である。中敷きに形成された孔Ｃから構成される。孔Ｃを形成することで、段部２、段部３との高低差が生まれさらに弾力性が向上する。また、孔を形成し空気の流れをつくることで、足裏に発生する汗や臭いなどを減少させることができる。さらに、孔を形成することで、本発明の履物及び履物用中敷きと足裏の密着度が高まり滑り止めの効果も生まれる孔である。【００３２】  図１０は、本発明の履物及び履物用中敷きの中敷きの第３の実施例である。中敷き６、土踏まずから足指に至る中間部に形成する段部７、踵側の一部に形成する段部８、小指側に位置する外側の段部ｄ、親指側に位置する内側の段部ｅから構成される。【００３３】  図１１は、本発明の履物及び履物用中敷きの捻じれを形成する前の１対の履物である。履物９、踵部１０、靴底の縦の中心軸Ｄから構成される。【００３４】  図１２は、本発明の履物及び履物用中敷きの第４の実施例の斜視図である。履物９、踵部１０、小指側に位置する外側の段部ｆ、親指側に位置する内側の段部ｇから構成される。踵部８の上部あたりから足指側にかけ、縦の中心軸付近から軸方向に沿って小指側に捻じれを形成することで、小指側に位置する外側の段部ｆが高くなり、親指側に位置する内側の段部ｇが低くなる。【００３５】  図１３は、本発明の履物及び履物用中敷きの第４の実施例の正面図である。履物９、踵部１０、小指側に位置する外側の段部ｆ、親指側に位置する内側の段部ｇ、縦の中心軸Ｄから構成される。縦の中心軸Ｄ付近から軸方向に沿って小指側に捻じれを形成することで、小指側に位置する外側の段部ｆが高くなり、親指側に位置する内側の段部ｇが低くなる。これにより、より足首をローリングさせながら歩く、又は走ることができ、各部位の可動域を広げ、足首、ふくらはぎ、太もも、股関節、臀部、腹部等の内筋を鍛えることができる。歩くだけで、内筋を鍛え柔らかな筋肉をつくることが可能となる。【００３６】  図１４は、本発明の履物及び履物用中敷きの履物の第５の実施例の斜視図である。履物１１、小指側に位置する外側の段部ｈ、親指側に位置する内側の段部ｉから構成される。図１２とは逆に親指側に捻じることで、親指側に位置する内側���段部ｉが高くなる。【００３７】  図１５は、本発明の履物及び履物用中敷きの第６の実施例の斜視図である。履物１２、インソールに形成した小指側に位置する外側の段部ｊ、親指側に位置する内側の段部ｋから構成される。小指側に位置する外側の段部ｊは、親指側に位置する内側の段部ｋより高く形成する。段部は山型に形成し、踵部の段部は形成しても、形成しなくても良いが、平衡であることが肝要である。【００３８】  図１６は、本発明の履物及び履物用中敷きの第７の実勢例斜視図である。履物１４、インソールに形成した小指側に位置する外側の段部ｌ、親指側に位置する内側の段部ｍから構成される。小指側に位置する外側の段部ｌは、親指側に位置する内側の段部ｍより低く形成する。段部は山型に形成し、踵部の段部は形成しても、形成しなくても良いが、平衡であることが肝要である。【００３９】  図１７は、歩行時に人間の足裏にかかる重心移動の流れである。一番最初に着地する部分踵▲１▼、重心移動が黒い矢印▲２▼、最後に蹴り上げる指先▲３▼、歩行時にあまり重心がかからない部分▲４▼、土踏まず▲５▼から構成される。黒い矢印▲２▼に沿って徐々に重心が移動し、最後に親指を中心につま先でけり上げるのが一般的な歩行時の重心移動である。中指、薬指、小指周辺は重心移動の負担があまりかからない部分となっている。【００４０】  重心移動の負担があまりかからない▲４▼の部分に段部を設けることで、５本の指先を運動させ、足の裏全体に満遍なく負荷をかけることができる。
【産業上の利用可能性】
【００４１】  ５本の足指全部と足の裏全体に負荷をかけて歩くことで、老若男女全ての人の体力アップにつながる。
【符号の説明】
【００４２】１    中敷き
２    土踏まずから足指に至る中間部に形成する段部
２´  空気室
３    踵側に形成する段部
３´  空気室
４    平たん部
５    平たん部
６    第３の実施例
７    土踏まずから足指に至る中間部に形成する段部
８    踵側に形成する段部
９    第４の実施例
１０  踵部
１１  第５の実施例
１２  第６の実施例
１３  踵部
１４  第７の実施例
１５  踵部
Ａ    切断個所
Ｂ    切断個所
Ｃ    切断個所
Ｄ    軸方向中心線
ａ    小指側に位置する外側の段部
ｂ    親指側に位置する内側の段部
ｃ    孔
ｄ    小指側に位置する外側の段部
ｅ    親指側に位置する内側の段部
ｆ    小指側に位置する外側の段部
ｇ    親指側に位置する内側の段部
ｈ    小指側に位置する外側の段部
ｉ    親指側に位置する内側の段部
ｊ    小指側に位置する外側の段部
ｋ    親指側に位置する内側の段部
ｌ    小指側に位置する外側の段部
ｍ    親指側に位置する内側の段部
▲１▼  一番最初に着地する部分
▲２▼  重心移動の黒い矢印
▲３▼  最後に蹴り上げる指先
▲４▼  歩行時に重心が乗らない部分
▲５▼  土踏まず
【図１】
2012152536.tif 000003
【図２】
2012152536.tif 000004
【図３】
2012152536.tif 000005
【図４】
2012152536.tif 000006
【図５】
2012152536.tif 000007
【図６】
2012152536.tif 000008
【図７】
2012152536.tif 000009
【図８】
2012152536.tif 000010
【図９】
2012152536.tif 000011
【図１０】
2012152536.tif 000012
【図１１】
2012152536.tif 000013
【図１２】
2012152536.tif 000014
【図１３】
2012152536.tif 000015
【図１４】
2012152536.tif 000016
【図１５】
2012152536.tif 000017
【図１６】
2012152536.tif 000018
【図１７】
2012152536.tif 000019